【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
被検者に対してインピーダンス測定を実施する際に使用するためのプローブであって、
ａ）使用時にオペレータによって保持されるよう構成されたハウジングと、
ｂ）前記被検者に接触するための接触表面と、
ｃ）前記接触表面を測定デバイスに接続するためのコネクタと
を含み、使用時に、前記プローブが前記被検者のセグメントに沿って移動されて、前記セグメントに沿ったインピーダンスの変動を表すインピーダンス・プロファイルを決定することが可能になる、プローブ。
【請求項２】
前記ハウジングは細長いハウジングであり、前記接触表面は前記ハウジングの第１端に設けられ、前記コネクタは前記ハウジングの対向する第２端に設けられる、請求項１に記載のプローブ。
【請求項３】
前記ハウジングは絶縁材料から形成される、請求項１または請求項２に記載のプローブ。
【請求項４】
前記ハウジングはパースペックス・チューブから形成される、請求項１から３のいずれか１項に記載のプローブ。
【請求項５】
前記接触表面は凸形状を有する、請求項１から４のいずれか１項に記載のプローブ。
【請求項６】
前記接触表面は、前記被検者に対して移動するための移動部材を含む、請求項１から５のいずれか１項に記載のプローブ。
【請求項７】
前記移動部材はローラボールであり、前記ハウジングは、前記ローラボールを受取るための成形マウンティングを含む、請求項６に記載のプローブ。
【請求項８】
前記移動部材は、軸上に搭載された円柱ローラである、請求項６または請求項７に記載のプローブ。
【請求項９】
前記プローブは、前記移動部材を前記コネクタに電気接続するためのコンタクトを含む、請求項６から８のいずれか１項に記載のプローブ。
【請求項１０】
前記コンタクトはバネである、請求項９に記載のプローブ。
【請求項１１】
前記プローブは、前記移動部材の移動を検知するためのセンサを含む、請求項６から１０のいずれか１項に記載のプローブ。
【請求項１２】
前記センサは、
ａ）光学センサ、および、
ｂ）前記移動部材に接触する移動要素
の少なくとも一方を含む、請求項１１に記載のプローブ。
【請求項１３】
前記コネクタは、測定デバイスのリード線に接続するためのものである、請求項１から１２のいずれか１項に記載のプローブ。
【請求項１４】
使用時に、前記プローブは測定デバイスに接続され、前記測定デバイスは、
ａ）前記被検者上に設けられた第１電極を介して、少なくとも１つの電気信号が前記被検者に印加し、
ｂ）前記被検者上に配置された第２電極と前記プローブとによって測定される少なくとも１つの第２電気信号を示す指示を決定する
ための処理システムを含む、請求項１から１３のいずれか１項に記載のプローブ。
【請求項１５】
プローブを使用して被検者にインピーダンス測定を実施する方法であって、前記プローブは、使用時にオペレータによって保持されるよう構成されたハウジングと、前記被検者に接触するための接触表面と、前記接触表面を測定デバイスに接続するためのコネクタとを含み、前記方法は、
ａ）前記プローブを前記被検者のセグメントに接触して配置すること、
ｂ）前記測定デバイスにインピーダンス測定のシーケンスを実施させること、
ｃ）前記測定デバイスが前記セグメントに沿ってインピーダンス測定値を決定するように、インピーダンス測定の前記シーケンス中に前記セグメントに沿って前記プローブを移動して、前記セグメントに沿ったインピーダンスの変動を表すインピーダンス・プロファイルを決定することが可能になるようにすること
を含む方法。
【請求項１６】
前記測定デバイスにおいて、
ａ）前記インピーダンス測定値を使用して、インピーダンス・プロファイルを決定すること、
ｂ）前記インピーダンス・プロファイルの表現を表示し、それにより、前記インピーダンス・プロファイルが、前記被検者内の浮腫の存在、非存在、程度またはロケーションの決定に使用されることを可能にすること
を含む、請求項１５に記載の方法。
【請求項１７】
前記測定デバイスにおいて、
ａ）前記被検者上に設けられた第１電極を介して、前記被検者に印加される第１電気信号のシーケンスを発生させること、
ｂ）前記被検者上に配置された第２電極と前記プローブとを介して測定される第２電気信号のシーケンスの指示を決定すること
を含む、請求項１５または請求項１６に記載の方法。
【請求項１８】
前記測定デバイスにおいて、前記第１および第２信号の指示を使用して、前記セグメントに沿った測定インピーダンスの変動を表すインピーダンス・プロファイルを決定することを含む、請求項１７に記載の方法。
【請求項１９】
被検者に実施されるインピーダンス測定を分析する際に使用するための方法であって、処理システムにおいて、
ａ）前記被検者のセグメントに沿って測定されるインピーダンス値のシーケンスを決定すること、
ｂ）インピーダンス値の前記シーケンスを使用してインピーダンス・プロファイルを決定すること
を含む方法。
【請求項２０】
前記処理システムにおいて、前記インピーダンス・プロファイルの表現を表示し、それにより、前記インピーダンス・プロファイルが、前記被検者内の浮腫の存在、非存在、程度またはロケーションの決定に使用されることを可能にする、請求項１９に記載の方法。
【請求項２１】
前記処理システムにおいて、
ａ）前記被検者上に設けられた第１電極を介して、前記被検者に印加される第１電気信
号のシーケンスを発生させること、
ｂ）前記被検者上に配置された第２電極を介して測定される第２電気信号のシーケンスを示す指示を決定すること、
ｃ）第１および第２信号の前記シーケンスの指示を使用して、インピーダンス値の前記シーケンスを決定すること
を含む、請求項１９または請求項２０に記載の方法。
【請求項２２】
前記第２電極のうちの１つの電極はプローブであり、前記プローブが前記セグメントに沿って移動するにつれて、前記第２電気信号の少なくとも一部の指示を決定することを含む、請求項２１に記載の方法。
【請求項２３】
ａ）プローブを前記被検者のセグメントに接触して配置すること、
ｂ）前記処理システムにインピーダンス測定のシーケンスを実施させること、
ｃ）測定デバイスが前記セグメントに沿ってインピーダンス測定値を決定するように、インピーダンス測定の前記シーケンス中に前記セグメントに沿って前記プローブを移動させること
を含む、請求項１９から２２のいずれか１項に記載の方法。
【請求項２４】
前記処理システムにおいて、
ａ）測定インピーダンス値から１つまたは複数のインピーダンスパラメータ値を決定すること、
ｂ）前記インピーダンスパラメータ値を使用して前記インピーダンス・プロファイルを決定すること
を含む、請求項１９から２３のいずれか１項に記載の方法。
【請求項２５】
前記インピーダンスパラメータ値は、
ａ）印加周波数が無限大のときのインピーダンス（Ｒ∞）、
ｂ）印加周波数がゼロのときのインピーダンス（Ｒ０）、および、
ｃ）特性周波数におけるインピーダンス（Ｚｃ）
の少なくとも１つを含む、請求項２４に記載の方法。
【請求項２６】
前記処理システムにおいて、
少なくとも部分的に式
【数１】
2010524520.tif 000001
を使用して、前記インピーダンスパラメータ値を決定することを含み、
式中、Ｒ∞＝印加周波数が無限大のときのインピーダンス
Ｒ０＝印加周波数がゼロのときのインピーダンス
ω＝角周波数
τは被検者応答をモデル化する容量性回路の時定数であり、
αは０と１との間の値を有する、
請求項２５に記載の方法。
【請求項２７】
前記表現は、
ａ）前記セグメントに対するベースライン・インピーダンス・プロファイル、
ｂ）正規母集団から導出される基準インピーダンス・プロファイル、
ｃ）反対側セグメントに対するインピーダンス・プロファイル
の少なくとも１つを含む、請求項２０に記載の方法。
【請求項２８】
前記処理システムにおいて、
ａ）１つまたは複数の被検者詳細を決定すること、
ｂ）少なくとも部分的に前記被検者詳細にしたがって基準を選択すること
を含む、請求項２７に記載の方法。
【請求項２９】
前記被検者詳細は、
ａ）四肢利き側、
ｂ）民族性、
ｃ）年齢、
ｄ）性別、
ｅ）体重、および、
ｆ）身長
の少なくとも１つを含む、請求項２８に記載の方法。
【請求項３０】
前記第２電極のうちの１つの電極はバンド電極から形成され、前記バンド電極は、
ａ）基材であって、
ｉ）複数の導電性接触パッドと、
ｉｉ）対応する数の導電性トラックであって、各トラックが、前記基材の縁からそれぞれの接触パッドまで延在する、対応する数の導電性トラックと
を前記基材上に設けられて有する、基材と、
ｂ）前記基材上に設けられた絶縁層であって、複数のアパーチャを含み、且つ配置され、それにより、各接触パッドの少なくとも一部分がそれぞれのアパーチャに整列した状態で前記トラックを被覆する、絶縁層と、
ｃ）前記アパーチャ内に設けられた導電性媒体と
を含む、請求項２１に記載の方法。
【請求項３１】
前記接触パッドを介して第２電気信号の前記シーケンスを測定することを含む、請求項３０に記載の方法。
【請求項３２】
被検者に対して実施されるインピーダンス測定を分析するときに使用するための装置であって、
ａ）前記被検者のセグメントに沿って測定されるインピーダンス値のシーケンスを決定し、
ｂ）インピーダンス値の前記シーケンスを使用してインピーダンス・プロファイルを決定する
ための処理システムを含む、装置。
【請求項３３】
ａ）電極の第１セットを使用して前記被検者に１つまたは複数の電気信号を印加するための信号発生器と、
ｂ）電極の第２セット全体で測定される電気信号を測定するためのセンサと、
ｃ）コントローラであって、
ｉ）前記信号発生器を制御し、
ｉｉ）前記測定される電気信号の指示を決定する
ためのコントローラと
を含む、請求項３２に記載の装置。
【請求項３４】
第２電極の少なくとも１つの電極はプローブであり、前記プローブは、
ａ）使用時にオペレータによって保持されるよう構成されたハウジングと、
ｂ）前記被検者に接触するための接触表面と、
ｃ）前記接触表面を測定デバイスに接続するためのコネクタと
を含む請求項３２または請求項３３に記載の、装置。
【請求項３５】
被検者の身体セグメント内の浮腫を診断するときに使用するためのプローブであって、
ａ）使用時にオペレータによって保持されるよう構成されたハウジングと、
ｂ）前記被検者の前記セグメントに接触するための接触表面と、
ｃ）前記接触表面を測定デバイスに接続するためのコネクタと
を含む、プローブ。
【請求項３６】
プローブを使用して被検者の身体セグメント内の浮腫を診断するための方法であって、前記プローブは、使用時にオペレータによって保持されるよう構成されたハウジングと、被検者に接触するための接触表面と、前記接触表面を測定デバイスに接続するためのコネクタとを含み、
ａ）前記プローブを前記被検者のセグメントに接触して配置すること、
ｂ）前記測定デバイスにインピーダンス測定のシーケンスを実施させること、
ｃ）前記測定デバイスが前記セグメントに沿ってインピーダンス測定値を決定するように、インピーダンス測定の前記シーケンス中に前記セグメントに沿って前記プローブを移動させること、
ｄ）インピーダンス値の前記シーケンスを使用して、前記被検者内の浮腫の存在、非存在、程度またはロケーションを示すインピーダンス・プロファイルを決定すること
を含む方法。
【請求項３７】
被検者の身体セグメント内の浮腫を診断するときに使用するための方法であって、処理システムにおいて、
ａ）前記被検者のセグメントに沿って測定されるインピーダンス値のシーケンスを決定すること、
ｂ）インピーダンス値の前記シーケンスを使用して、前記被検者内の浮腫の存在、非存在、程度またはロケーションを示すインピーダンス・プロファイルを決定すること
を含む方法。
【請求項３８】
被検者の身体セグメント内の浮腫を診断するときに使用するための装置であって、
ａ）前記被検者のセグメントに沿って測定されるインピーダンス値のシーケンスを決定し、
ｂ）インピーダンス値の前記シーケンスを使用して、前記被検者内の浮腫の存在、非存在、程度またはロケーションを示すインピーダンス・プロファイルを決定する
ための処理システムを含む装置。